(57)【要約】【課題】インキの組成物が溶出することを抑制できる美容パックシートを提供する。【解決手段】美容パックシート１は、顔面の全部または一部を覆う。美容パックシート１は、シート部３と、シート部３に形成された着色部５とを含む。着色部５は、インキの組成物と、インキの組成物を硬化させている硬化剤とを含む。インキは、例えば、水性インキである。水性インキは、例えば、水性フレキソインキである。美容パックシート１は、シート部３に浸潤した美容液をさらに含む。【選択図】図１
2017042303.tif 000002
【特許請求の範囲】
【請求項１】
顔面の全部または一部を覆う美容パックシートであって、
シート部と、
前記シート部に形成された着色部と
を含み、
前記着色部は、インキの組成物と、前記インキの前記組成物を硬化させている硬化剤とを含む、美容パックシート。
【請求項２】
前記インキは、水性インキである、請求項１に記載の美容パックシート。
【請求項３】
前記水性インキは、水性フレキソインキである、請求項２に記載の美容パックシート。
【請求項４】
前記着色部は、第１色彩を有する第１色部と、第２色彩を有する第２色部とを含み、
前記第１色部の一部と前記第２色部の全部または一部とは重なっている、請求項１から請求項３のいずれか１項に記載の美容パックシート。
【請求項５】
前記シート部に浸潤した美容液をさらに含む、請求項１から請求項４のいずれか１項に記載の美容パックシート。
【請求項６】
請求項１から請求項５のいずれか１項に記載の美容パックシートと、
美容液と、
前記美容パックシートと前記美容液とを封入する封入材と
を含む、美容パックシート製品。
【請求項７】
前記封入材を包装する包装材をさらに含む、請求項６に記載の美容パックシート製品。
【請求項８】
顔面の全部または一部を覆う美容パックシートの製造方法であって、
シート材を用意する工程と、
フレキソ印刷を実行して、前記シート材に、インキ剤によって着色部を形成する工程と
を含み、
前記インキ剤は、インキと、前記インキの組成物を硬化させる硬化剤とを含有する、美容パックシートの製造方法。
【請求項９】
前記シート材は、切目を形成するための切目予定領域を含み、
前記着色部を形成する前記工程では、前記切目予定領域に、前記着色部を形成する、請求項８に記載の美容パックシートの製造方法。
【発明の詳細な説明】
【技術分野】
【０００１】
本発明は、美容パックシート、美容パックシート製品、及び美容パックシートの製造方法に関する。
【背景技術】
【０００２】
特許文献１に記載されたローションマスク（美容パックシート）には、化粧水が含浸されている。
【先行技術文献】
【特許文献】
【０００３】
【特許文献１】特開平１０−１９２０５２号公報
【発明の概要】
【発明が解決しようとする課題】
【０００４】
しかしながら、特許文献１に記載されたローションマスクに、インキによって図柄を印刷する場合がある。そして、図柄が印刷されたローションマスクに化粧水を含浸させると、インキの組成物が溶出する場合がある。
【０００５】
本発明は上記課題に鑑みてなされたものであり、その目的は、インキの組成物が溶出することを抑制できる美容パックシート、美容パックシート製品、及び美容パックシートの製造方法を提供することにある。
【課題を解決するための手段】
【０００６】
本発明の第１の観点によれば、美容パックシートは、顔面の全部または一部を覆う。美容パックシートは、シート部と、前記シート部に形成された着色部とを含む。前記着色部は、インキの組成物と、前記インキの前記組成物を硬化させている硬化剤とを含む。
【０００７】
本発明の美容パックシートにおいて、前記インキは、水性インキであることが好ましい。
【０００８】
本発明の美容パックシートにおいて、前記水性インキは、水性フレキソインキであることが好ましい。
【０００９】
本発明の美容パックシートにおいて、前記着色部は、第１色彩を有する第１色部と、第２色彩を有する第２色部とを含むことが好ましい。前記第１色部の一部と前記第２色部の全部または一部とは重なっていることが好ましい。
【００１０】
本発明の美容パックシートは、前記シート部に浸潤した美容液をさらに含むことが好ましい。
【００１１】
本発明の第２の観点によれば、美容パックシート製品は、上記第１の観点による美容パックシートと、美容液と、前記美容パックシートと前記美容液とを封入する封入材とを含む。
【００１２】
本発明の美容パックシート製品は、前記封入材を包装する包装材をさらに含むことが好ましい。
【００１３】
本発明の第３の観点によれば、製造方法は、顔面の全部または一部を覆う美容パックシートの製造方法である。製造方法は、シート材を用意する工程と、フレキソ印刷を実行して、前記シート材に、インキ剤によって着色部を形成する工程とを含む。前記インキ剤は、インキと、前記インキの組成物を硬化させる硬化剤とを含有する。
【００１４】
本発明の美容パックシートの製造方法において、前記シート材は、切目を形成するための切目予定領域を含むことが好ましい。前記着色部を形成する前記工程では、前記切目予定領域に、前記着色部を形成することが好ましい。
【発明の効果】
【００１５】
本発明によれば、インキの組成物が溶出することを抑制できる。
【図面の簡単な説明】
【００１６】
【図１】本発明の実施形態１に係る美容パックシートを示す図である。
【図２】（ａ）本発明の実施形態２に係る美容パックシート製品を示す図である。（ｂ）本発明の実施形態２の変形例に係る美容パックシート製品を示す図である。
【図３】本発明の実施形態３に係る印刷装置を示す図である。
【図４】本発明の実施形態３に係る印刷装置によって着色部が形成される前のシート材を示す図である。
【図５】本発明の実施形態３に係る印刷装置によって着色部が形成された後のシート材を示す図である。
【図６】本発明の実施形態３に係る印刷装置が実行する美容パックシートの製造方法を示すフローチャートである。
【図７】本発明の実施形態４に係る加工装置によって切目が形成された後のシート材を示す図である。
【図８】本発明の実施形態４に係る加工装置が実行する美容パックシートの製造方法を示すフローチャートである。
【発明を実施するための形態】
【００１７】
以下、本発明の実施形態について、図面を参照しながら説明する。なお、図中、同一または相当部分については同一の参照符号を付して説明を繰り返さない。
【００１８】
（実施形態１）
図１は、本発明の実施形態１に係る美容パックシート１を示す図である。図１に示す美容パックシート１は、人間の顔面を覆う。例えば、美容パックシート１は、人間の顔面の全部を覆う。美容パックシート１は、シート部３と、複数の着色部５とを含む。また、美容パックシート１は、一対の孔７と、孔９と、切目１１とを有する。
【００１９】
シート部３は、例えば、不織布により形成される。不織布は、例えば、再生セルロース連続長繊維不織布である。
【００２０】
複数の着色部５は、シート部３に形成される。着色部５の各々は、水性インキの組成物（例えば、着色剤及び樹脂）と、水性インキの組成物（例えば、樹脂）を硬化させている硬化剤とを含む。例えば、着色部５の各々は、水性インキの組成物としての着色剤及び樹脂と、水性インキの組成物としての樹脂を硬化させている硬化剤とを含む膜である。
【００２１】
水性インキとは、溶剤の主成分として水を含有するインクのことである。水性インキは、例えば、組成物として、着色剤と、樹脂と、溶剤とを含む。着色剤は、例えば、顔料または染料を含む。樹脂は、例えば、水溶性樹脂を含む。溶剤は、例えば、水及び有機溶剤を含む。有機溶剤は、例えば、アルコール類である。
【００２２】
水性インキにおける水の量は、例えば、水性インキの全質量に対して、２０質量％以上９５質量％以下である。水性インキにおける水の量は、例えば、水性インキの全質量に対して、２５質量％以上６５質量％以下であってもよい。
【００２３】
水性インキにおける有機溶剤の量は、例えば、水性インキの全質量に対して、３０質量％以下である。水性インキにおける有機溶剤の量は、例えば、水性インキの全質量に対して、１０質量％以下であることが好ましい。有機溶剤の量が少ないと、水性インキを乾燥させ易いからである。
【００２４】
水性インキは、水性フレキソインキである。水性フレキソインキとは、フレキソ印刷に適合する水性インキのことである。フレキソ印刷とは、弾性物質（ゴムまたは樹脂）で形成された版を用いる凸版印刷のことである。なお、水性インキは、水性グラビアインキであってもよい。水性グラビアインキとは、グラビア印刷に適合する水性インキのことである。グラビア印刷とは、凹版印刷のことである。
【００２５】
なお、水性フレキソインキが、水性グラビアインキよりも好ましい。水性フレキソインキにおける有機溶剤の含有量は、水性グラビアインキにおける有機溶剤の含有量よりも少ないため、インキを乾燥させ易いからである。
【００２６】
硬化剤とは、水性インキの組成物を硬化させる物質のことである。具体的には、硬化剤は、水性インキの組成物としての樹脂を架橋させる物質、または水性インキの組成物としての樹脂を重合させる物質である。従って、実施形態１では、硬化剤を含まない場合よりも、水性インキの組成物としての樹脂が硬化している。つまり、着色部５は、硬化剤を含まない場合よりも硬化している。
【００２７】
水性インキと硬化剤とは、水性インキ剤を構成する。実施形態１では、複数の着色部５は、フレキソ印刷を実行して、水性インキ剤をシート部３に転写することによって形成されている。
【００２８】
複数の着色部５は、着色部５ａ（第１色部）、着色部５ｂ、着色部５ｃ、着色部５ｄ、着色部５ｅ（第２色部）、及び着色部５ｆを含む。着色部５ａ〜着色部５ｄは、第１色彩を有する。図面では、右上がりの斜線によって、第１色彩が示される。着色部５ｅ及び着色部５ｆは、第１色彩と異なる第２色彩を有する。図面では、右下がりの斜線によって、第２色彩が示される。
【００２９】
着色部５ａは、孔７の周縁に沿って形成されている。換言すれば、孔７は、孔７の周縁に着色部５ａが位置するように、シート部３に形成されている。孔７は、略楕円形を有し、シート部３において、人間の目に対応する位置に形成される。なお、実施形態１では、着色部５ａは、孔７の周縁の全部に沿って形成されている。
【００３０】
着色部５ａの一部と着色部５ｅの一部とは重なっている。つまり、着色部５ｅは、着色部５ｅの一部が、着色部５ａの一部に重なるように、シート部３に形成されている。着色部５ｆは、着色部５ａ〜着色部５ｅとシート部３の外縁とに接触しないように、シート部３に形成されている。
【００３１】
着色部５ｂは、孔９の周縁に沿って形成されている。換言すれば、孔９は、孔９の周縁に着色部５ｂが位置するように、シート部３に形成されている。孔９は、略楕円形を有し、シート部３において、人間の口に対応する位置に形成される。なお、実施形態１では、着色部５ｂは、孔９の周縁の全部に沿って形成されている。
【００３２】
着色部５ｃは、切目１１に沿って形成されている。換言すれば、切目１１は、着色部５ｃ内において、着色部５ｃに沿って形成されている。切目１１は、略Ｕ字状であり、シート部３において、人間の鼻に対応する位置に形成される。
【００３３】
着色部５ｄは、着色部５ｄの外縁の一部が、シート部３の周縁の一部となるように形成されている。換言すれば、シート部３は、シート部３の周縁の一部が、着色部５ｄの外縁の一部となるように形成されている。
【００３４】
美容パックシート１は、シート部３に浸潤した美容液をさらに含んでいてもよい。美容液とは、人間の皮膚の状態を維持、改善、又は回復させる液体のことである。美容液は、例えば、人間の皮膚を保湿する成分、人間の皮膚に対する収斂作用を有する成分、人間の皮膚にメラニン色素が生成されることを抑制する成分、及び人間の皮膚に生成されたメラニン色素を淡色化する成分のうちの一部または全部を含む。
【００３５】
例えば、使用者は、美容パックシート１に美容液を浸潤させて、美容パックシート１を顔面に被せる。その結果、顔面に美容液が付着し、顔面の皮膚の状態を維持、改善、又は回復させることが可能である。
【００３６】
以上、図１を参照して説明したように、実施形態１によれば、着色部５は、硬化剤を含むため、着色部が硬化剤を含まない場合よりも硬化している。その結果、美容パックシート１を美容液に浸けたとき、または美容パックシート１に美容液を浸潤させたときに、着色部が硬化剤を含まない場合と比較して、水性インキの組成物（典型的には、着色剤）が溶出することを抑制できる。
【００３７】
また、同様の理由により、実施形態１では、シート部３に美容液を浸潤させた後における着色部５の色落ちを抑制できる。例えば、シート部３に美容液を浸潤させた後に着色部５を擦った場合に、着色部５が色落ちすることを抑制できる。
【００３８】
また、実施形態１では、シート部３のうち、孔７及び孔９並びに切目１１が形成されている部分に着色部５を形成している。そして、着色部５は、硬化剤を含むため、着色部が硬化剤を含まない場合よりも硬化している。従って、例えば、鋭利な刃物によって、孔７及び孔９並びに切目１１を形成し易い。なお、一般的には、シート部が不織布の場合は、織布と比較して、孔及び切目を形成し難い場合がある。なぜなら、不織布は、刃物を押し付けたときに、織布よりも沈み込み易い場合があるためである。しかし、実施形態１によれば、着色部５が硬化剤を含むため、着色部５に刃物を押し付けたときに、着色部５が沈み込み難い。従って、実施形態１では、シート部３が不織布で形成される場合であっても、孔７及び孔９並びに切目１１を形成し易い。
【００３９】
なお、着色部５は、一対の孔７のうちの一方の孔７が形成されている部分、一対の孔７のうちの他方の孔７が形成されている部分、孔９が形成されている部分、及び切目１１が形成されている部分のうちの１以上に形成されていればよい。
【００４０】
また、実施形態１では、水性インキは、水性フレキソインキである。従って、フレキソ印刷によって、シート部３に容易に着色部５を形成できる。
【００４１】
さらに、実施形態１では、着色部５の各々が硬化剤を含むため、着色部が硬化剤を含まない場合よりも、着色部５の各々が硬化している。従って、着色部５の一部と他の着色部５の一部または全部とが重なっている場合でも、美容パックシート１を美容液に浸けたとき、または美容パックシート１に美容液を浸潤させたときに、重複部分から水性インキの組成物（典型的には、着色剤）が溶出することを効果的に抑制できる。例えば、着色部５ａの一部と着色部５ｅの一部とが重なっているが、着色部５ａと着色部５ｅとの重複部分から、水性インキの組成物（典型的には、着色剤）が溶出することを効果的に抑制できる。なお、一般的には、着色部同志が重なっている場合は、重複部分の着色剤が溶出し易い場合がある。
【００４２】
また、同様の理由により、着色部５の一部と他の着色部５の一部または全部とが重なっている場合でも、シート部３に美容液を浸潤させた後における着色部５の色落ちを効果的に抑制できる。例えば、シート部３に美容液を浸潤させた後に重複部分を擦った場合に、重複部分が色落ちすることを効果的に抑制できる。なお、一般的には、着色部同志が重なっている場合は、重複部分が色落ちし易い場合がある。
【００４３】
さらに、実施形態１によれば、着色部５ａは孔７の縁に沿って形成され、着色部５ｂは孔９の縁に沿って形成されている。従って、使用者は、鏡を見ながら、孔７に目が位置するように、孔９に口が位置するように、美容パックシート１を容易に被せることができる。また、着色部５ａ及び着色部５ｂを目印として、美容パックシート１を正確に顔面に被せることができる。その結果、美容パックシート１に浸潤された美容液を効果的に肌に付着させることができる。
【００４４】
なお、着色部５ａは孔７の縁の一部または全部に沿って形成されてもよいし、着色部５ｂは孔９の縁の一部または全部に沿って形成されていてもよい。また、一対の孔７のうちの一方の孔７、一対の孔７のうちの他方の孔７、及び孔９のうち、全部または一部について、着色部５が縁に沿って形成されていてもよい。
【００４５】
（実施形態２）
図２（ａ）を参照して、本発明の実施形態２に係る美容パックシート製品２０について説明する。図２（ａ）は、美容パックシート製品２０を示す図である。図２（ａ）に示すように、美容パックシート製品２０は、実施形態１に係る美容パックシート１と、封入材２１とを備える。封入材２１は、袋状であり、美容パックシート１と美容液とを封入する。具体的には、美容パックシート１は、折り畳まれて、美容液とともに、封入材２１に入れられている。そして、封入材２１に気体が入らないように、封入材２１は閉塞されている。封入材２１は、例えば、パウチである。パウチは、例えば、アルミニウムを含有する。ただし、封入材２１の材質は、特に限定されない。なお、美容液は、実施形態１に係る美容液と同様である。
【００４６】
実施形態２によれば、美容パックシート１及び美容液が封入材２１に封入されている。従って、美容液が浸潤した美容パックシート１の劣化及び破損を抑制できるとともに、保管が容易である。また、使用者が美容パックシート１に美容液を浸潤させる手間を省くことができる。
【００４７】
また、実施形態２によれば、封入材２１は、実施形態１に係る美容パックシート１を封入している。従って、着色部５ａは孔７の縁に沿って形成され、着色部５ｂは孔９の縁に沿って形成されている。その結果、封入材２１から、折り畳まれた美容パックシート１を取り出し、美容パックシート１を拡げる際に、目に対応する孔７と口に対応する孔９とを容易に区別できる。
【００４８】
美容パックシート１を拡げる際に、目に対応する孔７と口に対応する孔９とを容易に区別できるため、例えば、美容パックシート１を上下が逆になるように拡げてしまったり、美容パックシート１を斜めに拡げてしまったりすることを抑制できる。その結果、美容パックシート１を顔面に円滑に被せることができる。
【００４９】
図２（ｂ）を参照して、実施形態２の変形例について説明する。図２（ｂ）は、変形例に係る美容パックシート製品３０を示す図である。図２（ｂ）に示すように、美容パックシート製品３０は、図２（ａ）に示す美容パックシート製品２０と、包装材３１とを備える。包装材３１は、美容パックシート製品２０を包装する。包装材３１は、例えば、紙製である。ただし、包装材３１の材質は、特に限定されない。
【００５０】
実施形態２の変形例によれば、美容パックシート製品２０が包装材３１によって包装されている。従って、美容パックシート製品２０の破損を抑制できる。
【００５１】
（実施形態３）
図１及び図３を参照して、本発明の実施形態３に係る印刷装置４０について説明する。実施形態３に係る印刷装置４０は、フレキソ印刷を実行して、図１に示す美容パックシート１の着色部５を形成する。
【００５２】
図３は、印刷装置４０を示す図である。図３に示すように、印刷装置４０は、圧胴４２と、複数の印刷部４４（実施形態３では、８つの印刷部４４）と、複数の乾燥部４６（実施形態３では、８つの乾燥部４６）とを備える。印刷部４４の各々は、版胴４７と、アニロックスローラー４８と、インキチャンバー４９とを含む。
【００５３】
圧胴４２は、回転方向ＲＤに回転する。図３においては、回転方向ＲＤは反時計回りの方向である。圧胴４２の周面に沿って、複数の印刷部４４が配置される。また、１つの印刷部４４に対応して、１つの乾燥部４６が配置される。乾燥部４６は、対応する印刷部４４に対して、回転方向ＲＤの下流に配置される。圧胴４２と複数の印刷部４４とに挟まれるように、シート材４１が圧胴４２の周面に巻きつけられている。シート材４１は、圧胴４２の回転にともなって、方向ＭＤに移動する。シート材４１は、例えば、不織布である。不織布は、例えば、再生セルロース連続長繊維不織布である。
【００５４】
印刷部４４のインキチャンバー４９は、水性インキ剤を収容し、アニロックスローラー４８に水性インキ剤を供給する。水性インキ剤は、実施形態１に係る水性インキと硬化剤とを含有する。実施形態３では、水性インキは、水性フレキソインキである。８つのインキチャンバー４９は、互いに異なる色彩の水性インキ剤を収容している。アニロックスローラー４８は、均等に形成された複数のセルを有しており、水性インキ剤を版胴４７に転移する。版胴４７は、弾性物質（例えば、ゴムまたは樹脂）で形成された凸版である。版胴４７は、回転しながら、水性インキ剤をシート材４１に転写して、シート材４１に着色部５を形成する。乾燥部４６は、シート材４１に転写された水性インキ剤、つまり、シート材４１に形成された着色部５を乾燥させる。
【００５５】
次に、図１及び図３〜図５を参照して、印刷装置４０が、美容パックシート１の着色部５ａ〜着色部５ｆを形成する工程について説明する。
【００５６】
図１に示すように、美容パックシート１は、第１色彩の着色部５ａ〜着色部５ｄと、第２色彩の着色部５ｅ及び着色部５ｆとを有している。そこで、例えば、図３に示すように、複数の印刷部４４のうち、回転方向ＲＤの最上流に配置される印刷部４４が、着色部５ａ〜着色部５ｄをシート材４１に形成する。従って、最上流のインキチャンバー４９には、第１色彩の水性インキ剤が収容されている。また、例えば、回転方向ＲＤの最下流に配置される印刷部４４が、着色部５ｅ及び着色部５ｆをシート材４１に形成する。従って、最下流のインキチャンバー４９には、第２色彩の水性インキ剤が収容されている。具体的には、次の通りである。
【００５７】
図４は、着色部５ａ〜着色部５ｆが形成される前のシート材４１を示す図である。図５は、着色部５ａ〜着色部５ｆが形成された後のシート材４１を示す図である。
【００５８】
図４に示すように、シート材４１は、複数の切目予定領域４３と、複数の着色予定領域４５とを含む。切目予定領域４３は、切目を形成するための領域である。着色予定領域４５は、着色部５を形成するための領域である。
【００５９】
具体的には、複数の切目予定領域４３は、着色部５ａに対応する切目予定領域４３ａと、着色部５ｂに対応する切目予定領域４３ｂと、着色部５ｃに対応する切目予定領域４３ｃと、着色部５ｄに対応する切目予定領域４３ｄと、シート部３の外縁に対応する切目予定領域４３ｘとを含む。切目予定領域４３ａの一部と着色予定領域４５ｅの一部とは重複している。
【００６０】
切目予定領域４３ａ〜切目予定領域４３ｄは、それぞれ、着色部５ａ〜着色部５ｄを形成するための着色予定領域でもある。複数の着色予定領域４５は、着色部５ｅに対応する着色予定領域４５ｅと、着色部５ｆに対応する着色予定領域４５ｆとを含む。
【００６１】
図３及び図５に示すように、最上流の版胴４７は、第１色彩の水性インキ剤をシート材４１の切目予定領域４３ａ〜切目予定領域４３ｄに転写して、着色部５ａ〜着色部５ｄをシート材４１に形成する。シート材４１に形成された着色部５ａ〜着色部５ｄは、最上流の印刷部４４に対応する乾燥部４６によって乾燥される。
【００６２】
次に、最下流の版胴４７は、第２色彩の水性インキ剤を、シート材４１の着色予定領域４５ｅ及び着色予定領域４５ｆに転写して、着色部５ｅ及び着色部５ｆをシート材４１に形成する。例えば、最下流の版胴４７は、水性インキ剤が着色部５ａの一部に重なるように、水性インキ剤をシート材４１の着色予定領域４５ｅに転写して、着色部５ｅを形成する。シート材４１に形成された着色部５ｅ及び着色部５ｆは、最下流の印刷部４４に対応する乾燥部４６によって乾燥される。
【００６３】
以上、印刷装置４０がフレキソ印刷を実行することによって、シート材４１に、着色部５ａ〜着色部５ｆが形成された。
【００６４】
次に、図３及び図６を参照して、印刷装置４０が実行する美容パックシート１の製造方法について説明する。図６は、美容パックシート１の製造方法を示すフローチャートである。図６に示すように、製造方法は、工程Ｓ１〜工程Ｓ５を含む。
【００６５】
図３及び図６に示すように、工程Ｓ１において、シート材４１が用意される。具体的には、シート材４１を圧胴４２に巻いて、シート材４１を印刷装置４０にセットする。
【００６６】
工程Ｓ３において、印刷部４４の各々は、フレキソ印刷を実行して、シート材４１に、水性インキ剤によって着色部５を形成する。つまり、印刷部４４の各々は、水性インキ剤をシート材４１に転写することによって、シート材４１に着色部５を形成する。水性インキ剤は、実施形態１に係る水性インキと硬化剤とを含有する。
【００６７】
例えば、第１色彩の水性インキ剤を有する印刷部４４は、図５に示すように、切目予定領域４３ａに水性インキ剤を転写して、着色部５ａを形成し、切目予定領域４３ｂに水性インキ剤を転写して、着色部５ｂ形成し、切目予定領域４３ｃに水性インキ剤を転写して、着色部５ｃを形成し、切目予定領域４３ｄに水性インキ剤を転写して、着色部５ｄを形成する。
【００６８】
例えば、第２色彩の水性インキ剤を有する印刷部４４は、図５に示すように、着色予定領域４５ｅに水性インキ剤を転写し、着色部５ｅを形成し、着色予定領域４５ｆに水性インキ剤を転写し、着色部５ｆ形成する。
【００６９】
印刷装置４０は、工程Ｓ３及び工程Ｓ５を繰り返す。その結果、美容パックシート１ごとに、シート材４１に、複数の着色部５が形成される。
【００７０】
以上、図３〜図６を参照して説明したように、実施形態３によれば、フレキソ印刷を実行して、シート材４１に、水性インキ剤によって着色部５を形成する。そして、水性インキ剤は、水性インキと硬化剤とを含有する。従って、実施形態１に係る美容パックシート１を製造するために、フレキソ印刷によってシート材４１に容易に着色部５を形成できる。
【００７１】
また、実施形態３によれば、シート材４１は、圧胴４２の周面に巻きつけられる。そして、圧胴４２の周面に沿って配置された複数の印刷部４４によって、シート材４１に着色部５が形成される。従って、シート材４１が位置ずれすることを抑制できる。その結果、シート材４１に精度良く水性インキ剤を転写できるため、精度良く着色部５を形成できる。特に、不織布は織布と比較して伸縮し易いが、シート材４１が不織布で形成される場合であっても、精度良く着色部５を形成できる。
【００７２】
さらに、実施形態３では、切目予定領域４３に着色部５を形成している。そして、着色部５は、硬化剤を含むため、着色部が硬化剤を含まない場合よりも硬化している。従って、例えば、鋭利な刃物を着色部５に押し付けることによって、図１に示す孔７及び孔９並びに切目１１を形成し易い。なお、一般的には、シート部が不織布の場合は、織布と比較して、孔及び切目を形成し難い場合がある。しかし、実施形態３によれば、着色部５が硬化剤を含むため、着色部５に刃物を押し付けたときに、着色部５が沈み込み難い。従って、実施形態３では、シート部３が不織布で形成される場合であっても、孔７及び孔９並びに切目１１を形成し易い。
【００７３】
なお、複数の切目予定領域４３の全部に着色部５を形成してもよいし、複数の切目予定領域４３の一部に着色部５を形成してもよい。また、１つの切目予定領域４３の全領域に着色部５を形成してもよいし、１つの切目予定領域４３の一部の領域に着色部５を形成してもよい。
【００７４】
（実施形態４）
図１、図６、及び図７を参照して、本発明の実施形態４に係る加工装置（不図示）について説明する。実施形態４に係る加工装置は、着色部５が形成されたシート材４１を加工して、図１に示す美容パックシート１を製造する。
【００７５】
図６は、加工装置によって切目１１及び切目５１が形成された後のシート材４１を示す図である。
【００７６】
図６に示すように、加工装置は、着色部５が形成されたシート材４１に、切目１１及び複数の切目５１を形成する。加工装置は、例えば、鋭利な刃物をシート材４１に押し付けて、切目１１及び複数の切目５１を形成する。複数の切目５１は、切目５１ａ、切目５１ｂ、切目５１ｃ、及び切目５１ｘを含む。
【００７７】
具体的には、加工装置は、切目予定領域４３ａに形成された着色部５ａに略楕円形の切目５１ａを形成し、切目予定領域４３ｂに形成された着色部５ｂに略楕円形の切目５１ｂを形成し、切目予定領域４３ｃに形成された着色部５ｃに略Ｕ字状の切目１１を形成し、切目予定領域４３ｘに略円形の切目５１ｘを形成する。
【００７８】
着色部５ａのうち、切目５１ａで囲まれた部分を不要着色部５３ａと記載する。着色部５ｂのうち、切目５１ｂで囲まれた部分を不要着色部５３ｂと記載する。
【００７９】
加工装置または作業者は、切目５１ｘに沿って、シート材４１から、シート部３を分離する。また、加工装置または作業者は、切目５１ａに沿って不要着色部５３ａをシート部３から分離して、孔７（図１）を形成する。さらに、加工装置または作業者は、切目５１ｂに沿って不要着色部５３ｂをシート部３から分離して、孔９（図１）を形成する。その結果、美容パックシート１が製造される。
【００８０】
次に、図７及び図８を参照して、実施形態４に係る加工装置によって実行される美容パックシート１の製造方法について説明する。図８は、実施形態４に係る加工装置が実行する美容パックシート１の製造方法を示すフローチャートである。図８に示すように、製造方法は、工程Ｓ１１〜工程Ｓ１７を含む。
【００８１】
図７及び図８に示すように、工程Ｓ１１において、美容パックシート１ごとに着色部５ａ〜着色部５ｆが形成されたシート材４１を用意する。例えば、図３に示す印刷装置４０によって着色部５ａ〜着色部５ｆが形成されたシート材４１を用意する。
【００８２】
工程Ｓ１３において、加工装置は、切目予定領域４３ａに形成された着色部５ａに切目５１を形成し、切目予定領域４３ｂに形成された着色部５ｂに切目５１ｂを形成し、切目予定領域４３ｃに形成された着色部５ｃに切目１１を形成し、切目予定領域４３ｘに切目５１ｘを形成する。
【００８３】
工程Ｓ１５において、加工装置または作業者は、切目５１ｘに沿って、シート材４１からシート部３を分離する。
【００８４】
工程Ｓ１７において、加工装置または作業者は、切目５１ａに沿って不要着色部５３ａをシート部３から分離して、目に対応する孔７（図１）を形成し、切目５１ｂに沿って不要着色部５３ｂをシート部３から分離して、口に対応する孔９（図１）を形成する。その結果、図１に示す美容パックシート１が製造される。
【００８５】
加工装置は工程Ｓ１３を繰り返すとともに、加工装置または作業者は工程Ｓ１５及び工程Ｓ１７を繰り返す。その結果、複数の美容パックシート１が、順次製造される。
【００８６】
以上、図７及び図８を参照して説明したように、実施形態４によれば、切目予定領域４３に形成された着色部５に、切目１１及び切目５１ａを形成する。そして、着色部５は、硬化剤を含むため、着色部が硬化剤を含まない場合よりも硬化している。従って、加工装置は、例えば、鋭利な刃物を着色部５に押し付けることによって、図１に示す孔７及び孔９並びに切目１１を形成し易い。また、シート部３が不織布で形成される場合であっても、孔７及び孔９並びに切目１１を形成し易い。
【００８７】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００８８】
（１）実施形態１〜実施形態４では、インキ剤として、水性インキ剤を採用し、インキとして、水性インキを採用した。ただし、水性インキ剤に代えて油性インキ剤を採用し、水性インキに代えて油性インキを採用してもよい。油性インキと硬化剤とが油性インキ剤を構成する。油性インキ剤及び油性インキを採用する場合、水性インキ剤及び水性インキを採用する場合よりも、油性インキ剤の乾燥時間を短縮できる。油性インキ剤は、例えば、二液硬化型の油性インキ剤である。二液硬化型の油性インキ剤は、例えば、ウレタン系二液硬化型の油性インキ剤である。
【００８９】
油性インキとは、溶剤として水を含有しないインクのことである。油性インキは、例えば、組成物として、着色剤と、樹脂と、溶剤とを含む。例えば、油性インキは、油性フレキソインキであってもよいし、油性グラビアインキであってもよい。油性フレキソインキとは、フレキソ印刷に適合する油性インキのことである。油性グラビアインキとは、グラビア印刷に適合する油性インキのことである。
【００９０】
硬化剤とは、油性インキの組成物を硬化させる物質のことである。具体的には、硬化剤は、油性インキの組成物としての樹脂を架橋させる物質、または油性インキの組成物としての樹脂を重合させる物質である。
【００９１】
例えば、実施形態１〜実施形態４において、着色部５の各々は、油性インキの組成物（例えば、着色剤及び樹脂）と、油性インキの組成物（例えば、樹脂）を硬化させている硬化剤とを含んでいてもよい。例えば、着色部５の各々は、油性インキの組成物としての着色剤及び樹脂と、油性インキの組成物としての樹脂を硬化させている硬化剤とを含む膜である。
【００９２】
油性インキ剤及び油性インキを採用した場合でも、実施形態１と同様に、美容パックシート１を美容液に浸けたとき、または美容パックシート１に美容液を浸潤させたときに、着色部が硬化剤を含まない場合と比較して、油性インキの組成物（典型的には、着色剤）が溶出することを抑制できる。また、実施形態１と同様に、シート部３に美容液を浸潤させた後における着色部５の色落ちを抑制できる。例えば、シート部３に美容液を浸潤させた後に着色部５を擦った場合に、着色部５が色落ちすることを抑制できる。その他、油性インキ剤及び油性インキを採用した場合でも、実施形態２〜実施形態４に示す効果と同様の効果を実現できる。
【００９３】
なお、油性インキ剤及び油性インキを採用した場合と、水性インキ剤及び水性インキを採用した場合とのいずれでも、インキ剤（油性インキ剤又は水性インキ剤）を乾燥させるため、溶剤が皮膚に影響を与えることはない。ただし、水性インキ剤及び水性インキを採用すると、皮膚にとって更に好適である。
【００９４】
（２）実施形態１〜実施形態４において、美容パックシート１は、人間の顔面の一部を覆っていてもよい。着色部５ａの一部と着色部５ｅの全部とが重なっていてもよい。２以上の着色部５が重なっていてもよい。シート部３の形状、孔７の形状、孔９の形状、及び切目１１の形状は、特に限定されず、任意の形状を採用できる。着色部５の数、形状、及び色彩は、特に限定されず、任意の数、形状、及び色彩を採用できる。例えば、着色部５は単数でもよい。
【００９５】
（３）実施形態１〜実施形態４において、シート部３の素材及びシート材４１の素材は、不織布に限定されず、織布でもよいし、特に限定されない。また、着色部５は、美容パックシート１に形成されたが、他の製品（例えば、おむつ）に形成することもできる。例えば、着色部５を任意のシート材（例えば、不織布または織布）に形成できる。
【００９６】
（４）実施形態３において、最上流及び最下流の印刷部４４を使用したが、複数の印刷部４４のうちの任意の印刷部４４を使用できるし、全部の印刷部４４を使用することもできる。例えば、単数の印刷部４４を使用することもできる。
【００９７】
（５）実施形態４において、図８の工程Ｓ１５の前に、工程Ｓ１７を実行してもよいし、工程Ｓ１５と工程Ｓ１７とを同時に実行してもよい。また、加工装置は、切目５１ａに沿って不要着色部５３ａをシート部３からくり抜いて、孔７（図１）を形成してもよい。さらに、加工装置は、切目５１ｂに沿って不要着色部５３ｂをシート部３からくり抜いて、孔９を形成してもよい。「くり抜き」とは、切目５１ａ及び切目５１ｂの形成に連続して、不要着色部５３ａ及び不要着色部５３ｂをシート材４１から分離することである。
【産業上の利用可能性】
【００９８】
本発明は、美容パックシート、美容パックシート製品、及び美容パックシートの製造方法に関するものであり、産業上の利用可能性を有する。
【符号の説明】
【００９９】
１    美容パックシート
３    シート部
５    着色部
５ａ    着色部（第１色部）
５ｅ    着色部（第２色部）
２１    封入材
３１    包装材
４３    切目予定領域
【図１】
2017042303.tif 000003
【図２】
2017042303.tif 000004
【図３】
2017042303.tif 000005
【図４】
2017042303.tif 000006
【図５】
2017042303.tif 000007
【図６】
2017042303.tif 000008
【図７】
2017042303.tif 000009
【図８】
2017042303.tif 000010